(57)【要約】【課題】眼鏡のズレ落を抑止するため、眼鏡枠のテンプルの先セルないし耳掛部付近の装用当り面に沿い、ゴム弾性体の鋸歯状の接触面を有するズレ止めパッドを一体的に付装し、該接触面において、装用接触圧による弾性復元の反力を誘起し、テンプルの前方への変位を制止して眼鏡枠の鼻当の装用接触状態を保持し、眼鏡の装用荷重を、鼻当とパッドとにより分担して支持することとした眼鏡のズレ止め具を提供することを課題とする。【解決手段】本考案は、眼鏡枠１において、テンプル２の先セル２ｄより耳掛部２ａないしテンプル中途に亘る装用当り面に沿い、多数の鋸歯先２ｃ群を前方向きに成形したゴム弾性体の接触面を有するズレ止めパッド２ｂを、一体的に付装してズレ止め具を構成し、課題を解決した。【選択図】図１
0003115758.tif 000002
【実用新案登録請求の範囲】
【請求項１】
眼鏡枠（１）において、テンプル（２）の先セル（２ｄ）より耳掛部（２ａ）ないしテンプル中途に亘る装用当り面に沿い、多数の鋸歯先（２ｃ）群を前方向きに成形したゴム弾性体の接触面を有するズレ止めパッド（２ｂ）を、一体的に付装してなり、眼鏡を装用するとき、該接触面の装用接触圧による鋸歯先群の弾性歪みに対する弾性復元の反力を誘起して、テンプルの前方への変位を制止することにより、眼鏡枠の鼻当（１ａ）の装用接触状態を保持し、眼鏡の装用荷重を、鼻当とズレ止めパッドとにより分担して支持し、眼鏡のズレ落ちを抑止することを特徴とする眼鏡のズレ止め具。
【請求項２】
眼鏡枠（１）において、テンプル（２）の先セル（２ｄ）より耳掛け部（２ｂ）付近のテンプル中途までゴム弾性体のチューブ（２ｅ）を、密着状に、且つ、挿脱自在に嵌挿し、該チューブには、テンプルの装用当り面側に、多数の鋸歯先（２ｃ）群を前方向きに成形したゴム弾性体の接触面を有するズレ止めパッド（２ｂ）を、一体に付装してなり、眼鏡を装用するとき、該接触面の装用接触圧による鋸歯先群の弾性歪みに対する弾性復元の反力を誘起して、テンプルの前方への変位を制止することにより、眼鏡枠の鼻当（１ａ）の装用接触状態を保持し、眼鏡の装用荷重を、鼻当とズレ止めパッドとにより分担して支持し、眼鏡のズレ落ちを抑止することを特徴とする眼鏡のズレ止め具。
【考案の詳細な説明】
【技術分野】
【０００１】  本考案は、眼鏡のズレ落抑止手段に関する。
【背景技術】
【０００２】  眼鏡の装用値を設定するとき、フレーム機能の、必要条件として、フロントの光学的正面調整、テンプルの平面調整及び側面調整を経て、瞳位置設定を行うが、鼻当（パッド）や耳掛部ないし先セルの装用当り面の調整と共に、違和感のない均一な装用接触圧に調整する必要があるが、鼻当は、レンズ光学上及び装用外観のため、装用接触面積を制限しており、フレーム自重による眼鏡の掛け重さ、即ち、装用荷重を支持するため、鼻当接触圧は必然的に大きくなり、同荷重の支持機能が不充分になる傾向があって、装用者の挙動により、眼鏡レンズの光軸と装用視線とのズレ、即ち、ズレ落を生じる傾向がある。
【考案の開示】
【考案が解決しようとする課題】
【０００３】  本考案が解決しようとする課題として、眼鏡のズレ落を抑止するため、眼鏡枠のテンプルの先セルないし耳掛部付近の装用当り面に沿い、ゴム弾性体の鋸歯状接触面を有するパッドを付装し、パッドの当り面の装用接触圧により、パッドの弾性復元の反力を誘起し、テンプルの前方への変位を制止して眼鏡枠の鼻当の装用接触状態を保持し、眼鏡の装用荷重を、鼻当とパッドとにより分担して支持するすることとした眼鏡のズレ止め具を提供することとする。
【課題を解決するための手段】
【０００４】  上記目的を達成するために、本考案の眼鏡のズレ止め具は、眼鏡枠において、テンプルの先セルより耳掛部ないしテンプル中途に亘る装用当り面に沿い、多数の鋸歯先群を前方向きに成形したゴム弾性体の接触面を有するズレ止めパッドを付装してなり、眼鏡を装用するとき、該接触面の接触圧による鋸歯先群の弾性歪みに対する弾性復元の反力を誘起し、テンプルの前方への変位を制止して眼鏡枠の鼻当の装用接触状態を保持し、眼鏡の装用荷重を、鼻当とズレ止めパッドとにより分担して支持し、眼鏡のズレ落ちを抑止することとしている。
【考案の効果】
【０００５】  本考案の眼鏡のズレ止め具は、多数の鋸歯先群を前向きに配列したゴム弾性体の接触面を有するズレ止めパッドを、テンプルの耳掛部付近の装用当たり面に沿い付装しており、眼鏡を装用するとき、該接触面の装用接触圧による鋸歯先群の弾性歪みに対する弾性復元の反力を誘起して、テンプルの前方への変位を制止することにより、眼鏡枠の鼻当の装用接触状態を保持し、眼鏡の装用荷重を、鼻当とズレ止めパッドとにより分担して支持し、眼鏡のズレ落ちを抑止することができる。【０００６】  そして、上記ズレ止めパッドの接触面の接触圧による鋸歯先群の弾性歪みに対する弾性復元の反力を誘起し、テンプルの後方への変位を促して、眼鏡掛け重さの荷重を、ズレ止めパッドと鼻当とにより分担して支持し、装用接触圧を緩和して鼻当による装用圧痕を低減することができる。【０００７】  また、ズレ止めパッドは、テンプルの先セルより耳掛部ないしテンプル中途に亘る装用接触面は、低硬度のゴム弾性体により、当り面積を充分大きく設定しており、眼鏡のズレ落ちを抑止するに必要且つ充分な装用接触圧は、装用違和感のない程度の微小圧力に抑えることができる。【０００８】  さらに、装用者の挙動において、こめかみの微動、頭部の傾動及び体位の移動による眼鏡枠の掛け重さに係る加速度ないし荷重倍数の変動により、装用接触圧の変化に対する接触面の鋸歯先群に生じる弾性復元の反力を増幅してテンプルの後方への変位を促し、ズレ落ち抑止効果を増幅することができる。
【考案を実施するための最良の形態】
【０００９】  眼鏡のズレ落を抑止するため、眼鏡枠において、テンプルの先セルより耳掛部ないしテンプル中途に亘る装用当り面に沿い、ゴム弾性体の鋸歯状接触面を有するズレ止めパッドを付装し、該パッドの接触面において、装用接触圧により弾性復元の反力を誘起し、テンプルの前方への変位を制止するように構成して実現した。
【実施例１】
【００１０】  図１ないし図３において、眼鏡枠１において、テンプル２の先セル２ｄより耳掛部２ａないしテンプル中途に亘る装用当り面に沿い、多数の鋸歯先２ｃ群を前方向きに成形したゴム弾性体の接触面を有するズレ止めパッド２ｂを、一体的に付装してなり、眼鏡を装用するとき、該接触面の装用接触圧による鋸歯先群の弾性歪みに対する弾性復元の反力を誘起し、テンプルの前方への変位を制止して、眼鏡枠の鼻当の装用接触状態を保持し、眼鏡の装用荷重を、鼻当とズレ止めパッドとにより分担して支持し、眼鏡のズレ落ちを抑止することとしている。【００１１】  そして、図２は、図１のＡ付近、テンプル２の耳掛部２ａ付近要部の斜視図であって、低硬度のゴム弾性体のズレ止めパッド２ａの形状及び位置関係を示し、図３は、図２のＢ−Ｂに沿う断面図であって、前方向きに成形した鋸歯先２ｃ群を有する接触面を有するズレ止めパッド２ｂをテンプル２へ一体的に付装した実施例を示し、低硬度のゴム弾性体として、天然ゴム類及びシリコンゴムなどのエラストマー類を適用することが推奨される。  また、ズレ止めパッド２ｂは、テンプルへ一体的に付装する方式の代わりに、別体の部品として、必要に応じて接着し、貼り替え更新する方式としてもよい。
【実施例２】
【００１２】  図４に示す実施例は、眼鏡枠１のテンプル２において、先セル２ｄより耳掛け部２ｂ付近のテンプル中途まで低硬度のゴム弾性体のチューブ２ｅを密着状に、且つ、挿脱自在に嵌挿し、該チューブには、テンプルの装用当り面側に多数の鋸歯先２ｃ群を前方向きに成形した接触面を有するズレ止めパッド２ｂを一体に付装してなり、必要に応じて、チューブと共に挿脱更新する方式としてもよい。
【産業上の利用可能性】
【００１３】  本考案は、眼鏡枠のテンプルと一体的に形設するズレ止め手段に適用すると共に、装用者の運動の程度に応じて、貼り替え・装脱可能とする方式の部品としてのズレ止め具の用途にも適用できる。
【図面の簡単な説明】
【００１４】
【図１】  本考案の眼鏡のズレ止め具を具備する眼鏡枠の斜視図である。（実施例１）
【図２】  図１のＡにおける要部詳細の斜視図である。（実施例１）
【図３】  図２のＢ−Ｂに沿う断面図である。（実施例１）
【図４】  本考案他の実施例２の要部詳細の斜視図である。（実施例２）
【図５】  図４のＣ−Ｃに沿う断面図である。（実施例２）
【符号の説明】
【００１５】１    眼鏡枠
１ａ  鼻当
２    テンプル
２ａ  耳掛部
２ｂ  ズレ止めパッド
２ｃ  鋸歯先
２ｄ  先セル
２ｅ  チューブ
【図１】
0003115758.tif 000003
【図２】
0003115758.tif 000004
【図３】
0003115758.tif 000005
【図４】
0003115758.tif 000006
【図５】
0003115758.tif 000007